(57)【要約】物流チェーン内で使い捨て材料の包装（１０）を監視する包装と方法である。包装の重要な部分として、包装は、電子モジュール（１２）であって、電気エネルギー供給手段と、データ処理手段と、包装に関する情報を記憶するデータ記憶不揮発性メモリ手段と、時刻保持手段と、ホスト・コンピュータ（３０）と通信して前記情報を送信および受信するデータ・トランシーバ手段とを備える電子モジュールと、センサ手段（１４，２０）であって、包装の物理的状態の変化を検出し、また前記物理的状態の変化を表す情報を前記電子モジュール（１２）に送って時刻保持手段からの時間の表記と共にメモリ手段内に記憶するセンサ手段とを有する。
2006519737.tif 000002
【特許請求の範囲】
【請求項１】
実際に包んだままの、また包装の重要な部分としての使い捨て材料の包装であって、
電子モジュール（１２）であって、電気エネルギー供給手段と、データ処理手段と、包装に関する情報を記憶するデータ記憶不揮発性メモリ手段と、時刻保持手段と、ホスト・コンピュータ（３０）と通信して前記情報を送信および受信するデータ・トランシーバ手段とを備える電子モジュールと、
センサ手段（１４，２０）であって、前記包装の物理的状態の変化を検出し、また前記物理的状態の変化を表す情報を前記電子モジュール（１２）に送って前記時刻保持手段からの時刻の表記と共に前記メモリ手段内に記憶するセンサ手段と、
を備える包装。
【請求項２】
前記センサ手段は前記包装（１０）の諸面に印刷された導電要素（１４，２２，２４）を備え、前記条件の変化は前記包装の完全性が破られたときの前記導電要素のインピーダンスの変化を含む、請求項１記載の包装。
【請求項３】
前記導電要素は導電トレース（１４）を含み、前記インピーダンスの変化は導電トレースの破壊による導電率の変化を含む、請求項２記載の包装。
【請求項４】
前記導電トレースは前記包装の前記諸面に取り付けられ、前記導電トレース（１４）は基板に可変接着され、前記諸面は前記導電トレースを覆う接着剤（２８）で取り付けられ、前記トレースは前記接着剤が破壊力を受けたときに少なくとも部分的に破壊するよう設計される、請求項３記載の包装。
【請求項５】
前記導電要素は導電トレースを含み、電気的状態の前記変化は導電パッチ（２２，２４）が相対的に動くことにより静電容量が変化することを含む、請求項２記載の貨物包装。
【請求項６】
前記センサ手段は温度センサを更に含み、前記条件の変化は温度の変化である、請求項１記載の包装。
【請求項７】
使い捨て材料の包装を監視する方法であって、
前記包装の物理的状態の変化を検出することのできるセンサを形成するために前記使い捨て材料の諸面に導電材料の印刷されたパターンを形成し、
電気信号を繰り返して前記センサに送りまた前記センサから受けて前記変化を検出し、
前記包装に組み込んだ電子ユニット内の前記物理的状態の前記検出された変化とそれが起こった時刻とを含む情報を登録し、
前記情報を前記電子ユニットからホスト・コンピュータに送る、
ことを含む、包装を監視する方法。
【請求項８】
ロジスティックスのチェーンの初期段階の前記包装の前記物理的状態を表す前記電子ユニット内の初期情報を登録することを更に含む、請求項７の包装を監視する方法。
【請求項９】
前記包装内の無線トランシーバにより前記電子ユニット内の前記初期情報を登録することを更に含む、請求項７の包装を監視する方法。
【請求項１０】
前記トランシーバは容量トランシーバである、請求項９の包装を監視する方法。
【請求項１１】
前記包装の前記物理的状態を表す前記情報は固有の包装識別子を含む、請求項７の包装を監視する方法。
【発明の詳細な説明】
【技術分野】
【０００１】
本発明は安全で不正開封検出機能付きの包装に関するものである。特定すると、本発明は使い捨て材料の包装と、特に物流チェーン内で発送中の包装を監視する方法とに関するものである。
【背景技術】
【０００２】
輸送中における品物の損傷は物流の分野では大きな問題である。損傷した貨物を受け取ったとき、いつ損傷が起こったかを追跡するのは一般に不可能なので、責任の問題が表面化する。
また、不法な開梱や貨物の内容の変更などの侵入や不正開封行為は、貴重品や傷つきやすい品物を扱うときに大きな心配である。１つの問題は貨物から貴重な品物を取り去ったり盗んだりする窃盗であり、もう１つの問題は貨物の内容の不法な変更である。受け取った貨物が期待された状態でなかったと受取人が主張した場合に、窃盗または破損が物流チェーン内での出来事のためであると受取人が虚偽の主張をすると、発送人はこれを解決することができない。
【０００３】
物流のもう１つの態様は受取人に到着したときの貨物の内容と出所に関する心配である。通常、貨物の出所と内容は宛名ラベルで識別されるが、受取人は一般にこれを確認し認証することができない。
外国の貨物の内容が爆発物や毒物や生物製剤などの危険なものではないかという懸念が高まって、到着時に諸機関や作業員にとって大きな脅威になっている。
【０００４】
貨物の完全性と信頼性とを保証する従来の手段は、不正開封があったかどうかを到着時に目で調べることができる種々のシーリングを含む。品物が確かなものであることを保証するためのホログラムや、ラッカ・シーリングや、セキュリティ印刷やその他の従来の方法は、最近の高度な偽造や不正の手段に対抗するのに一般に十分強力とは言えない。
【０００５】
物流の自動化は一般に、バーコードや、データ・マトリクス・コードや、ＲＦＩＤタグなどの、機械による読取りが可能なラベルを用いる手段を含み、貨物に関する情報をホスト・コンピュータ・システムで読み取って処理することができる。現在の方法では、一般にラベル自体を積極的に認証することはほとんどできない。不正なコピーや、ラベルの変更や移動が企てられた場合は、完全性の違反として検出しなければならない。
【０００６】
要約すると、受取人に到着したときに、貨物の出所と完全性と信頼性を、自動的な、高度に確実で信頼できる方法で確認できることが望まれる。完全性の違反があった場合は、その事象をタイムスタンプして、物流チェーン内のどこでその事象が起こったかを追跡できることが望ましい。
【発明の開示】
【発明が解決しようとする課題】
【０００７】
本発明の目的は、包装の完全性が損なわれていないことを電子的に監視することのできる装置と方法とを提供することである。別の目的は、包装の受取人が到着時に貨物の信頼性と完全性とを確認できるようにすることである。
【課題を解決するための手段】
【０００８】
本発明の１つの態様では、実際に包んだままの、また包装の重要な部分としての使い捨て材料の包装は、電子モジュールであって、電気エネルギー供給手段と、データ処理手段と、包装に関する情報を記憶するデータ記憶不揮発性メモリ手段と、時刻保持手段と、ホスト・コンピュータと通信して前記情報を送信および受信するデータ・トランシーバ手段とを備える電子モジュールと、センサ手段であって、包装の物理的状態の変化を検出し、また前記物理的状態の変化を表す情報を前記電子モジュールに送って時刻保持手段からの時刻の表記と共にメモリ手段内に記憶するセンサ手段とを有する。
【０００９】
したがって、本発明は発送人から受取人に送る包装を含む発送プロセスに関する。包装は一般に配達される貨物を保持して保護するのに用いられる箱、小包、包み、または任意の同様の容器である。包装は一般に板紙、紙、プラスチックスなどの使い捨て包装材料で作られ、製作するときに電子モジュールと印刷されたセンサとを取り付ける。電子モジュールは印刷されたセンサに電気的に接続する。印刷されたセンサは、包装材料上またはポリマ薄膜上に導電インクで直接印刷された一般に連続的なトレースである。前記印刷されたトレースの設計は、包装材料が何らかの損傷を受けるとトレースの電気的特性が変化して、電子モジュールでこれを検出できるようにする。それぞれの検出は警報事象として記憶され、後で処理するためにタイムスタンプと共に記憶される。
【００１０】
包装の完全性を検出する基本的な原理は、印刷されたトレースの抵抗を連続的に監視することである。簡単な形では、トレースが壊れたかどうかを監視すれば十分である。トレースが連続していれば包装は不正開封されていないと見なし、トレースが壊れている場合は包装は不正開封されたと見なす。しかしこの簡単な方法ではシステムの安全度は低い。なぜなら、敵対者が導電トレースの設計と配置を知る可能性があるからである。かかる敵対者は外部導体でトレースをバイパスして、検出されずに包装を開けることができるであろう。これに比べて、トレースの抵抗をアナログ値として測定すると、抵抗の変化があれば第２水準の警報事象と見なすことができる。しかしアナログ測定法は、フォールス・アラームを出す可能性がある経年や湿度や温度やその他のドリフト源による抵抗の自然変化を考慮に入れなければならない。追加の基準トレースを印刷してトレース間の抵抗の相対的変化を監視すれば、基準トレースにより測定の信頼性が高まり、フォールス・アラームのリスクを小さくすることができる。
【００１１】
また包装材料の対応する連続的領域より壊れやすく設計された凹所を持つ領域を作り、印刷されたセンサをこの領域まで延ばすこともできる。そのような領域では、開閉するふたまたはフラップにかかる領域を接着剤で取り付けると、敵対者が包装を不法に開けるときにトレースを壊さないようにするのは困難である。
【００１２】
また、ワニスは基板への接着性が高いが印刷する前に基板を少なくとも部分的にワニスを付けて準備することで、印刷されたトレースへの接着性を中位または低いものにすると、不正開封されたときにトレースが壊れやすくまたは劣化しやすくすることができる。上に述べた凹所と組み合わせることにより、導電トレースの検出の感度を特定のアプリケーションに合わせて容易に設計することができる。
【００１３】
更に別の機能は、単一チャンネルの連続的な事象（ふたやフリップの開閉など）を検出することに関係する。上に述べた設計と、包装を開けたときに壊れる連続的なトレースとでは、複数回の開閉を検出することができない。例えば、クーリエ便の貨物は税関で検査する必要があるので、輸送中に少なくとも１回は合法的に開けることが許されなければならない。この場合に１つのトレースが壊れると、そのトレースが壊れた後の侵入を検出することができない。
【００１４】
検出機能は包装材料の上に印刷された容量インターフェースを用いる。閉じたフラップは容量要素を形成し、閉じたときは容量要素のプレートが互いに近接しているので比較的高い静電容量を有する。開いたときはプレート間の距離が大きくなるので静電容量は急激に小さくなる。この変化を用いてフラップの開閉を検出する。容量プレートを短絡したり壊したりすることで不正開封しようとすると静電容量が大幅に変化するので、これを検出して種々の水準の警報を生成することができる。
【００１５】
マイクロプロセッサを備える電子モジュールは、アナログ測定手段と、処理手段と、時刻保持手段と、メモリ手段と、通信手段と、電力供給手段とを含み、センサ手段の特性を連続的に監視する。センサ手段の変化は警報条件と考えられ、１つの事象と見なされる。各事象は記録され、時刻保持手段により保持されるタイムスタンプと共にメモリ手段内に記憶される。
【００１６】
各電子モジュールは、製作時にそのモジュールに割り当てられる一般に一列の数字のシーケンスである固有の識別子を保持する。識別子はパッケージの既知の集合内の個別の包装を識別することにのみ用いられる。
無線遠隔トランシーバを含む通信手段は、ホスト・コンピュータ・システムに接続するホスト・トランシーバの近くに置かれたとき、前記ホスト・コンピュータ・システムと情報を交換するのに用いられる。
【００１７】
ホスト・コンピュータ・システム側で、非対称暗号化を用いるときは鍵ペアとして、または対称暗号化を用いるときは単一鍵として、暗号化鍵を生成してよい。該当する鍵をホスト・コンピュータ・システムから電子モジュールに送って、そのメモリ手段内に記憶してよい。暗号化鍵は記憶するだけであって、通信手段を用いて検索されないようにメモリ手段を編成する。
【００１８】
ホスト・コンピュータ・システムは、内容の記述や、受取人の住所や、貯蔵番号などの個別の貨物に関する情報を保持する。前記情報は通信手段を用いて包装に送り、メモリ手段内に記憶してよい。ホスト・コンピュータ・システムは、後で通信手段を用いて前記記憶された情報を検索することができる。潜在的な機密情報が外部のホスト・コンピュータ・システムにより検索されるのを防ぐために、メモリ手段内に記憶する情報は適当な暗号化アルゴリズムを用いて暗号化してよい。電子モジュールから情報を検索する敵対者は復号化に用いられる秘密鍵を有しないので、受け取った情報は望ましい受取人にだけ有用である。
【００１９】
包装の信頼性はチャレンジ・レスポンス方式によりホスト・コンピュータ・システムが確認する。一般に、チャレンジはホスト・コンピュータ・システムが生成するランダムなビットの大きなシーケンスから成り、通信手段を用いてこれを電子モジュールに送る。マイクロプロセッサの処理手段を用いてチャレンジと電子モジュールの固有のＩＤに対する暗号操作を行う。その結果を、通信手段を用いてホスト・コンピュータ・システムに送り返す。ホスト・コンピュータ・システムは固有のＩＤのリストとその対応する鍵とを保持しており、正当なチャレンジャが開始すると、受け取った応答を確認して包装が確かなものかどうか判定する。
【００２０】
上にホスト・コンピュータ・システムと記述したが、このシステムはシングル・ネットワークのホスト・コンピュータ・システムを全く有しなくても働く。発送人が受取人に、暗号化データを読んで包装へのチャレンジ・レスポンスを確認するための有効な暗号化鍵および／または復号化鍵を与えることができる限り、このシステムはオフラインの場合でも同様にうまく働く。好ましい方法は、発送人と受取人との関係毎に特定の鍵または鍵ペアを拡張して用いることを含む。自称する発送人から受取人が貨物を受け取ると、受取人は対象とする特定の発送人用の鍵を用いてその自称するＩＤと発送人とを認証することができる。前記鍵を受け取ると、受け取った貨物から情報を検索するのに用いられる受取人のコンピュータで、これをデータベースまたは任意の他の形の媒体内に記憶してよい。貨物から暗号化情報を読み取るときも同じ方式を適用することができる。暗号化鍵の交換と保全とはこのための該当する最新方式を用いてよい。
【００２１】
温度が特定の範囲内でなければならないアプリケーション（或る種の食品や医薬品や化学物質などの輸送など）では、電子モジュール内に温度センサを含めてよい。周囲温度を連続的に監視してメモリ内に記録すれば信頼できる監査証跡が得られ、貨物が受取人に到着したときにこれを検索してチェックすることができる。
【００２２】
要約すると、上に説明した本発明は、物流チェーン内で貨物を監視する強力で柔軟な基盤を導入する。重要なパラメータを連続的に監視することにより信頼できる監査証跡が生成され、更に暗号法を用いてこれに署名して、情報と貨物自体の信頼性を確認することができる。発送人と受取人との争いや否認防止の問題を高い精度で解決することができる。
【実施例】
【００２３】
好ましい実施の形態は貨物用の包装（図１）、より正確には板紙小包１０を含む。包みは導電性インクを用いて複数のトレース１４（簡単のために図１には全てのトレースを示してはいない）で印刷してパッケージの重要な部分を形成する。トレースは包みの全ての領域に延びる。板紙を破壊するような物理的な損傷が起こると、少なくとも１つのトレースの導電率が大幅に変化する。組込み電子モジュール（ＥＭ）１２（これもパッケージに取り付けられてその重要な部分を形成する）は、トレースの導電率を連続的に監視する。導電率に大幅な変化が起こると警報事象と見なして、ＥＭ１２内のメモリ内に記憶する。トレース内の導電率のドリフトを補償するため、基準トレース１６を備える。トレース１４の抵抗の絶対値を測定するのではなく、測定対象のトレース１４と基準トレース１６との関係から信頼性の高い読みが得られる。
【００２４】
印刷されたトレース１２，１６は好ましくは熱可塑性樹脂内にカーボン・グラファイト・ベースのインクを用いて印刷される。カーボン・インクを用いるとコストが低いという利点の他に、カーボン・ベースのインクは抵抗が比較的高いので、相対的変化を容易に検出することができる。
【００２５】
前に説明し、また図４に示すように、印刷されたトレース１４とパッケージの対応する面１１との間に、導電トレース１４に対するよりパッケージに対する接着性が低いワニス層などの接着剤２８があってよい。
【００２６】
ＥＭ１２は標準の電子構成要素で作られた着脱可能な電子モジュールでよく、図２に示す機能性を備える。好ましい実施の形態では、ＥＭ１２の機能性は特定用途向け集積回路（ＡＳＩＣ）内に組み込んでよい。ＡＳＩＣは包装材料の基板に取り付けられる小型のプラスチック・フィルム・キャリヤの上に接着剤を用いて搭載する。接着剤は好ましくは導電性の熱活性化のりでよいが、Ｚ軸にだけ導電性を有する異方性感圧接着剤を用いても優れた結果が得られる。この設計により、センサ・検出システムを包装の重要な部分とする低コストの手段が得られる。低コストの手段を用いるので、顧客はリサイクリング・システムを導入せずに包装を処分しまたは包装を長期間保存することができる。
【００２７】
上に述べた導電トレース設計は単一事象だけを検出することができる。トレース１４が壊れるとその後の開閉を検出することができない。税関などの当局が検査する必要のある荷物などの特別の目的では、かかる許可された開閉を一度だけ検出するのでは、受取人への最後の輸送中に任意の敵対者が貨物に影響を与えかねない。
【００２８】
ふたやフリップの上など、包装材料の２つの向かい合う側面にそれぞれ導電インクを用いて平面パッチ領域を印刷することにより、容量要素２０（図３Ａ，３Ｂ）が形成される。包装の設計とコンデンサ・パッチの設計とを組み合わせて、図３Ａに略図で示すようにふたを閉じたときに静電容量が最大になるようにすることができる。図３Ｂに示すようにふたを開けると容量パッチ２２と２４との距離が大きくなり、静電容量が小さくなる。この実施の形態では、パッケージを複数回開閉しても検出することができる。
【００２９】
図２に示すように、温度センサを電子モジュール１２内に組み込む。温度センサはシリコン・チップの温度に比例するアナログ出力信号を与える。包装材料内に取り付けた場合は、チップの温度は包装の温度に等しいと考えてよい。温度を連続的に監視して記憶することにより、発送人から受取人への貨物の温度プロファイルを追跡することができる。
【００３０】
ホスト・コンピュータ・システム３０（図２）との通信は印刷されたアンテナ１８，１８’（図１には図示しない）を用いて行われる。好ましい実施の形態は、米国特許第６，６１５，０２３号に記載のような容量結合パッチ・アンテナ・システムを用いる。１３．５６ＭＨｚの無線周波数識別（ＲＦＩＤ）などの誘導結合遠隔測定法を用いるといくらかの利点が追加されるが、同調金属ループ・アンテナを組み込むことによりコストが高くなることは避けられない。
【００３１】
ホスト・システムから送られる情報は、対称暗号化（例えば、ＤＥＳ、３−ＤＥＳ、ＡＥＳなど）または非対称暗号化（例えば、ＲＳＡ）を用いて暗号化することができる。復号化用の該当する鍵を持つ正当な受取人だけが包装から検索された情報を読み取ることができる。
発送人は受取人に、最新の鍵交換および管理プロトコルを用いて、該当する復号化鍵をクーリエ便や電子メールや任意の他の安全な移送形式により与えてよい。
【００３２】
同じ方式がパケット認証に適用される。この場合は、受取人は発送人がＥＭ内に記憶した鍵を用いて、自称するＩＤが確かなものであることを確認する。
１．受取人は受け取った包装の識別ＩＤを検出する。
２．受取人は包装から発送人のＩＤを検索する。
３．受取人は自称する発送人の該当する暗号化鍵Ｋをローカルのデータベースから検索する。
４．受取人は長い乱数Ｓ（一般に９６ビット）を生成する。
５．Ｓをチャレンジとして包装に送る。
６．包装は包装識別と共にＳを暗号化し、その結果を応答Ｒとして送り返す。
Ｒ＝ＥＫ（Ｓ｜｜ＩＤ）
７．受取人はＲを復号化する。復号化された応答がＳおよびＩＤと一致する場合は、貨物は確かなものと見なされる。
【００３３】
国際速達便会社Ｃを用いて安全な包装Ｐを発送人Ａから受取人Ｂに発送する全シナリオを説明する。ＢがＰを受け取ると、ＢはＰが自称通りに実際にＡから来たことと、ＰがＡから送られた後で欠陥が生じたことや傷つけられたことがなかったこととを確認したい。
・  Ａは、貨物がＢに届き、Ｂがそれを受け取ったことを確認したい。
・  Ｂは、Ｃから受け取る前の配送中にも貨物が確かなものであり、無傷で、欠陥がないことを確認したい。
・  全ての関係者は、損傷または不正開封の事象が起こったかどうか、いつか、また暗黙にどこでか、についての争いを解決できることを望む。
【００３４】
プロトコルは次のように記述される。
１．ＡはＰに望ましい内容を入れる。
２．Ａは包装を物理的に閉じて、該当する接着シールをＰに取り付けてＰをシールする。
３．ＡはＰの固有の識別ＩＤを検索して記憶する。
４．Ａは暗号化鍵Ｋを生成して包装内に記憶する。
５．Ａは発送人を識別する識別ストリングを包装に送る。
６．Ａは初期タイムスタンプを入力して包装を「武装」させ、包装の状態の連続的な監視を可能にする。
７．ＡはＰをＣに渡す。
８．ＡはＢに、識別ＩＤと鍵Ｋとを取り付けた貨物を発送したことを知らせる。
９．ＣはＰをＢに配達する。
１０．Ｂは配達品を受け取る前に、ＩＤとＫとを確認してそのパッケージが確かなものであることをチェックする。
１１．Ｂは完全性ログを検索し、鍵Ｋを用いて復号化することによりパッケージの完全性をチェックする。損傷や開梱や過度の温度があれば、ＢはＡからの貨物を拒絶してＣに戻す。拒絶された配達についての争いはＡとＣの間で解決する。
【００３５】
ＢがＣからＰを受け取ったことを否定するという状態を避けるために、上に述べたプロトコルを更に強化することができる。
必要条件：
１．Ａはそれぞれ暗号化および復号化のための非対称鍵ペア（ＫＡＥおよびＫＡＤ）を生成する。
２．Ａは貨物の署名確認のためにその公式鍵としてＫＡＥを公開する。
３．Ｂはそれぞれ暗号化および復号化のための非対称鍵ペア（ＫＢＥおよびＫＢＤ）を生成する。
４．Ｂは貨物の署名確認のためにその公式鍵としてＫＢＥを公開する。
５．Ｃはそれぞれ暗号化および復号化のための非対称鍵ペア（ＫＣＥおよびＫＣＤ）を生成する。
６．Ｃは貨物の署名確認のためにその公式鍵としてＫＣＥを公開する。
【００３６】
プロトコルは次のように記述される。
１．Ａは貨物に署名し、Ｐは乱数ＳＡを生成し、ＡはＫＡＤを用いてこれに署名する。その結果ＤＡはＳＡと共にＰ内に記憶され、この事象はＰ内にタイムスタンプされる。Ｐに書き込まれると、ＳＡおよびＤＡは変えることができない。
２．ＡはＰをＣに渡す。
３．ＣはＰの完全性と、ＳＡおよびＤＡの存在と信頼性とをＫＡＥを用いて確認する。
４．ＣはＰを受け取ることを決定する。Ｃは貨物に署名し、Ｐは乱数ＳＣを生成し、ＣはＫＣＤを用いてこれに署名する。その結果ＤＣはＳＣと共にＰ内に記憶され、この事象はＰ内にタイムスタンプされる。Ｐに書き込まれると、ＳＣおよびＤＣは変えることができない。
５．ＡはＳＣおよびＤＣの存在と信頼性とをＫＣＥを用いて確認する。
６．包装の責任は今やＣの手の中にある。
７．ＣはＰをＢに配達する。
８．ＢはＰの完全性と、ＳＡおよびＤＡの存在と信頼性とをＫＡＥを用いて確認する。
９．ＢはＰを受け取ることを決定する。ＢはＰの受取りに署名し、Ｐは乱数ＳＢを生成し、ＢはＫＢＤを用いてこれに署名する。その結果ＤＢはＳＢと共にＰ内に記憶され、この事象はＰ内にタイムスタンプされる。Ｐに書き込まれると、ＳＢおよびＤＢは変えることができない。
１０．ＣはＳＢおよびＤＢの存在と信頼性とをＫＢＥを用いて確認する。
１１．包装の責任は今やＢの手の中にある。
【００３７】
上に記述したプロトコルは貨物の責任に明確なステップを記録する。失われた品物や、不正開封の企てや、輸送の損傷についての争いがあれば解決することができる。適格のディジタル署名が存在するので、争いを法廷で解決することができる。
【図面の簡単な説明】
【００３８】
【図１】本発明に係る安全なパッケージの略図を示す。
【図２】本発明の電子構成要素の略図である。
【図３】パッケージの繰返し開閉を検出するための容量要素の使用の略図を示す。
【図４】導電トレースを低い接着性で包装に取り付ける実施の形態を示す図である。
【図１】
2006519737.tif 000003
【図２】
2006519737.tif 000004
2006519737.tif 000005
【図４】
2006519737.tif 000006
【手続補正書】
【提出日】平成16年2月18日(2004.2.18)
【手続補正１】
【補正対象書類名】明細書
【補正対象項目名】０００１
【補正方法】変更
【補正の内容】
【０００１】
本発明は安全で不正開封検出機能付きの包装に関するものである。特定すると、本発明は使い捨て材料の包装と、特に物流チェーン内で発送中の包装を監視する装置と方法とに関するものである。
【手続補正２】
【補正対象書類名】明細書
【補正対象項目名】０００８
【補正方法】変更
【補正の内容】
【０００８】
本発明の１つの態様では、実際に包んだ状態の、また包装の重要な部分としての使い捨て材料の包装であって、
電子モジュールであって、電気エネルギー供給手段と、データ処理手段と、包装に関する情報を記憶するデータ記憶不揮発性メモリ手段と、固有の包装識別子と、時刻保持手段と、アナログ測定手段と、ホスト・コンピュータと通信して情報を送信および受信するデータ・トランシーバ手段とを備える電子モジュールと、
センサ手段であって、包装の諸面に印刷された導電要素を備え、包装の完全性が破られたときの導電要素のインピーダンスのアナログ変化を含む状態の変化を検出し、またインピーダンスの変化を表す情報を前記電子モジュールに送って時刻保持手段からの時刻の表記と共にメモリ手段内に記憶するセンサ手段と、
を備える。
【手続補正３】
【補正対象書類名】特許請求の範囲
【補正対象項目名】全文
【補正方法】変更
【補正の内容】
【特許請求の範囲】
【請求項１】
実際に包んだ状態の、また包装の重要な部分としての使い捨て材料の包装であって、
電子モジュール（１２）であって、電気エネルギー供給手段と、データ処理手段と、包装に関する情報を記憶するデータ記憶不揮発性メモリ手段と、固有の包装識別子と、時刻保持手段と、アナログ測定手段と、ホスト・コンピュータ（３０）と通信して前記情報を送信および受信するデータ・トランシーバ手段とを備える前記電子モジュールと、
センサ手段であって、前記包装（１０）の諸面に印刷された導電要素（１４，２２，２４）を備え、前記包装の完全性が破られたときに前記導電要素のインピーダンスのアナログ変化を含む状態の変化を検出し、また前記状態の変化を表す情報を前記電子モジュール（１２）に送って前記時刻保持手段からの時刻の表記と共に前記メモリ手段内に記憶する前記センサ手段と、
を備える前記包装。
【請求項２】
前記導電要素は導電トレース（１４）を含み、前記インピーダンスの変化は導電トレースの破壊による導電率の変化を含む、請求項１に記載の包装。
【請求項３】
前記導電トレースは前記包装の前記諸面に取り付けられ、前記導電トレース（１４）は基板に可変接着され、前記諸面は前記導電トレースを覆う接着剤（２８）で取り付けられ、前記トレースは前記接着剤が破壊力を受けたときに少なくとも部分的に破壊するよう設計される、請求項２に記載の包装。
【請求項４】
前記導電要素は導電トレースを含み、状態の前記変化は導電パッチ（２２，２４）が相対的に動くことによる静電容量の変化を含む、先行請求項のいずれかに記載の包装。
【請求項５】
前記センサ手段は温度センサを更に含み、前記条件の変化は温度の変化である、先行請求項のいずれかに記載の包装。
【請求項６】
前記データ記憶不揮発性メモリ手段内に記憶される発送人のＩＤを更に含む、先行請求項のいずれかに記載の包装。
【請求項７】
前記ホスト・コンピュータまたはパッケージの受取人がチャレンジ・レスポンス方式により包装の信頼性を確認するための、前記データ記憶不揮発性メモリ手段内に記憶された暗号化情報を更に含む、先行請求項のいずれかに記載の包装。
【請求項８】
物流チェーン内で使い捨て材料の包装を監視する装置であって、先行請求項のいずれか記載のホスト・コンピュータ（３０）と包装とを備える包装を監視する装置。
【請求項９】
物流チェーン内で使い捨て材料の包装を監視する方法であって、
前記包装内に組み込まれた電子モジュールに固有の識別子を割当てることと、
前記包装の完全性が破られたときに導電材料のインピーダンスのアナログ変化を含む状態の変化を検出することのできるセンサを形成するために前記使い捨て材料の諸面に前記導電材料の印刷されたパターンを形成することと、
電気信号を繰り返して前記センサに送りまた前記センサから受けて前記変化を検出することと、
固有の包装識別子と、前記電子モジュール内の前記状態の変化とそれが起こった時刻とを含む情報を登録することと、
前記情報を前記電子モジュールからホスト・コンピュータに送ることと、
を含む、前記方法。
【請求項１０】
物流チェーンの初期段階の前記包装の前記インピーダンスを表す前記電子モジュール内の初期情報を登録することを更に含む、請求項９に記載の方法。
【請求項１１】
前記包装内の無線トランシーバにより前記電子モジュール内の前記初期情報を登録することを更に含む、請求項９および１０のいずれかに記載の方法。
【請求項１２】
前記トランシーバは容量トランシーバである、請求項１１に記載の方法。
【請求項１３】
発送人のＩＤをデータ記憶不揮発性メモリ手段内に記憶することを更に含む、請求項９から１２のいずれかに記載の方法。
【請求項１４】
前記ホスト・コンピュータまたはパッケージの受取人がチャレンジ・レスポンス方式により包装の信頼性を確認するために、暗号化情報を前記データ記憶不揮発性メモリ手段内に記憶することを更に含む、請求項９から１３のいずれかに記載の包装。
【国際調査報告】
2006519737.tif 000007
2006519737.tif 000008